(57)【特許請求の範囲】
【請求項１】
とう道−マンホール間、ビル−マンホール若しくはハンドボール間、マンホール相互間、又はハンドホール相互間、又はマンホールとハンドホール間に敷設されたケーブル用管路の所定のマンホール若しくはハンドホールにおけるダクト口のケーブル周りに設けた発泡止水材を除去する工具において、管路のダクト口に挿入可能でダクト口の内径よりも僅かに小さい外径のほぼ円筒形の外周面と、この外周面の中間部分から半径方向外方に突出するフランジ部を有する二つ割りハーフをヒンジ連結することによって構成したガイド本体であって、前記二つ割りハーフのそれぞれの対向面に長孔を画定する溝を形成し、前記溝付き対向面と前記外周面との間の材料部分に少なくとも１個のドリル挿入孔を設け、またヒンジ連結した側とは反対側の側方端縁に拡開手段を設けたガイド本体により構成し、前記拡開手段は、半径方向に突出する前記フランジ部に直交するよう前記二つ割りハーフのそれぞれにおける外周面に、互いに対向させて設けた１対の押圧ねじ支持フランジと、少なくとも一方の押圧ねじ支持フランジに螺合する押圧ねじとを有し、押圧ねじのねじ込みにより他方の押圧ねじ支持フランジを押圧して前記二つ割りハーフを互いに拡開するよう構成し、前記ドリル挿入孔はガイド本体の長手方向中心軸線に平行に設け、このドリル挿入孔に挿入されるドリルロッドがガイド本体の長手方向中心軸線にほぼ平行に案内されるようにしたことを特徴とする発泡止水材除去工具。
【請求項２】
前記二つ割りハーフのそれぞれに３個のドリル挿入孔を設けた請求項１記載の発泡止水材除去工具。
【請求項３】
請求項１記載のガイド本体のドリル挿入孔に挿入するドリルロッドを半球形の先端部を有するロッドとし、この先端部の半球面に十字状の溝を設け、また先端面の溝の端縁に向かって長手方向に延びかつ深さが深くなる長手方向溝孔であって十字状の溝内の空間に連通するようにした４個の長手方向溝孔を設けたものとしたドリルロッド。
【発明の詳細な説明】
【０００１】
【発明の属する技術分野】
本発明は、とう道−マンホール間、ビル−マンホール若しくはハンドホール間、マンホール相互間、又はハンドホール相互間、又はマンホールとハンドホール間に敷設されたケーブル用管路の所定のマンホール若しくはハンドホールにおけるダクト口のケーブル周りに設けた発泡止水材を除去する工具に関するものである。
【０００２】
【従来の技術】
一般的に、例えば、電話交換機が設置されているビルにおけるとう道又は局内マンホール及びハンドホールのすべての管路のダクト口及びこれらと対峙するマンホール又はハンドホールのすべての管路のダクト口は止水栓又は発泡止水材で閉塞することが義務づけられている。ケーブルを引き込んでいない未使用の管路のダクト口は止水栓で塞ぎ、ケーブルを引き込んでいる管路のダクト口にはケーブル周りに発泡止水材を充填して止水処理を施している。
【０００３】
しかし、管路に引き込んだケーブルを撤去、交換したり、又は同一管路におけるケーブル増設が必要になる場合、ダクト口におけるケーブル周りの発泡止水材を除去しなければならない。このようなとき発泡止水材を除去するためには、従来はマイナスドライバの先端を鉤状に曲げた工具等によってダクト口のケーブル周りの発泡止水材をほじくり、また普通の挟みで切り裂き、竹ベラで掻き出していた。
【０００４】
【発明が解決しようとする課題】
しかし、従来の発泡止水材除去方法では、既設ケーブルを傷つける危険性があり、注意深い作業が必要であり、また時間がかかるものであった。特に、ケーブル増設の場合には既設ケーブルを損傷することは絶対にあってはならない。
【０００５】
従って、本発明の目的は、管路のダクト口における既設ケーブルを傷付けず、迅速かつ容易にケーブル周りの発泡止水材を除去できる工具を得るにある。
【０００６】
【課題を解決するための手段】
この目的を達成するため、本発明発泡止水材除去工具は、管路のダクト口に挿入可能でダクト口の内径よりも僅かに小さい外径のほぼ円筒形の外周面と、この外周面の中間部分から半径方向外方に突出するフランジ部を有する二つ割りハーフをヒンジ連結することによって構成したガイド本体であって、前記二つ割りハーフのそれぞれの対向面に長孔を画定する溝を形成し、前記溝付き対向面と前記外周面との間の材料部分に少なくとも１個のドリル挿入孔を設け、またヒンジ連結した側とは反対側の側方端縁に拡開手段を設けたガイド本体により構成し、前記ドリル挿入孔はガイド本体の長手方向中心軸線に平行に設け、このドリル挿入孔に挿入されるドリルロッドがガイド本体の長手方向中心軸線にほぼ平行に案内されるようにしたことを特徴とする。
【０００７】
本発明によれば、ヒンジ連結した二つ割りのガイド本体をケーブルが引き込まれている管路のダクト口に挿入し、拡開手段によって二つ割りハーフを互いに押し広げ、ダクト口に密着して摩擦によって固定されるようにする。このとき、ケーブルは二つ割りハーフの溝付き対向面により画定される長孔内に存在する。このようにダクト口に固定したガイド本体のドリル挿入孔は、ドリル装置に連結したドリルロッドをガイド本体の長手方向中心軸線に平行に案内し、ケーブルから離れた位置で発泡止水材を穿孔する。この作業をガイド本体の角度位置をずらして繰り返し行い、多数のドリル孔を発泡止水材に穿孔する。最終的にガイド本体をダクト口から外し、発泡止水材に穿った多数のドリル孔に既存の市販されている長手ペンチを挿入し、発泡止水材をむしり取る。
【０００８】
好適な実施例においては、二つ割りハーフのそれぞれに３個のドリル挿入孔を設ける。この実施例によれば、一つのガイド本体位置において合計６個の孔を穿孔することができる。
【０００９】
ガイド本体のドリル挿入孔に挿入するドリルロッドは半球形の先端部を有するロッドとし、この先端部の半球面に十字状の溝を設け、また先端面の溝の端縁に向かって長手方向に延びかつ深さが深くなる長手方向溝であって十字状の溝内の空間に連通するようにした長手方向溝を設けると、ケーブルを傷付けることなくまた効率よく発泡止水材に穿孔することができる。
【００１０】
【発明の実施の形態】
次に、図面につき本発明の好適な実施の形態を説明する。
【００１１】
図１には、本発明による発泡止水材除去工具の好適な実施の形態としてのガイド本体１を示し、このガイド本体１は、管路のダクト口に挿入可能でダクト口の内径よりも僅かに小さい外径のほぼ円筒形の外周面１ａと、この外周面１ａの中間部分から半径方向外方に突出するフランジ部１ｂを有する二つ割りハーフ１Ａをヒンジ部１Ｂによってヒンジ連結することによって構成する。
【００１２】
このガイド本体１は、二つ割りハーフ１Ａのそれぞれの対向面に長孔２を画定する溝２ａを形成し、溝付き対向面と外周面１ａとの間の材料部分に少なくとも１個のドリル挿入孔３を設ける。またヒンジ連結した側とは反対側の側方端縁に設ける拡開手段として、半径方向に突出するフランジ部１ｂに直交するよう各二つ割りハーフ１Ａの外周面１ａに設けた押圧ねじ支持フランジ１ｃを設け、少なくとも一方の押圧ねじ支持フランジ１ｃに押圧ねじ４が螺合する雌ねじ孔５を形成する。
【００１３】
この押圧ねじ４は、操作しやすいように刻み目のついたヘッド４ａと、ねじ山のないシャフト部に固着した押圧作用部４ｂと、相手側の二つ割りハーフの開孔に挿通可能な小径シャフト部４ｃを設け、この押圧作用部４ｂを雌ねじ孔を形成していない側の二つ割りハーフ１Ａの押圧ねじ支持フランジ１ｃに作用させる。一方の二つ割りハーフに設けた押圧ねじをねじ込むことによって、この押圧ねじ４の押圧作用部４ｂが他方の二つ割りハーフの押圧ねじ支持フランジ１ｃを押圧して二つ割りハーフ相互はヒンジ部１Ｂのヒンジピンを中心にして互いに拡開する。
【００１４】
ドリル挿入孔３はガイド本体の長手方向中心軸線Ｍに平行に設け、このドリル挿入孔３に挿入されるドリルロッド６（図２参照）がガイド本体１の長手方向中心軸線Ｍにほぼ平行に案内されるようにする。図１の実施の形態においては、二つ割りハーフ１Ａのそれぞれに３個のドリル挿入孔３を設ける。
【００１５】
図２には、通常の市販のドリル装置（図示せず）に装着してガイド本体１のドリル挿入孔３に挿入するドリルロッド６を示す。このドリルロッド６の先端部は半球形の形状にし、この先端部の半球面に十字状の溝７を設ける。また先端面の溝の端縁に向かって長手方向に延びかつ深さが中心軸線に向かって深くなる４個の長手方向溝孔８を設け、各長手方向溝孔８は互いにまた十字状の溝７内の空間に連通する。本発明における発泡止水材除去工具としてのドリルロッド６によれば、螺旋状のドリル切削端縁を設けることなく、十字状の溝７及び長手方向溝孔８の端縁が以下に説明する発泡止水材１１を穿孔する際の切断端縁として機能する。
【００１６】
図３には、コンクリート製のマンホールの壁面Ｗに多数露出する管路のダクト口の一部分を示す。中心及び左側の管路のダクト口にはケーブル９が引き込まれており、このダクト口に設けたダクトスリーブ１０の中間部分とケーブル９との間の隙間に発泡止水材１１を充填し、更に、ダクトスリーブ１０の壁面に近い部分とケーブル９との間をスポンジ１２によって充填し、右側の管路のダクト口は未使用でダクトスリーブ１０を止水栓１５によって閉塞した状態を示す。
【００１７】
図４には、それぞれマンホールの壁ＷＬの断面を示し、本発明による発泡止水材除去工具を使用して発泡止水材を除去する各段階を示す。コンクリート製の壁ＷＬの左側はマンホールのピット空間であり、壁ＷＬの右側は各管路Ｔ間の空間を充填しかつ管路を埋設する土砂層Ｓである。
【００１８】
土中に埋設した管路Ｔが嵌合するマンホールの壁ＷＬのダクト口にはダクトスリーブ１０を設けるのが一般的である。図４の（ａ）に示すように、ダクトスリーブ１０において、ケーブル９とこのダクトスリーブ１０との間の隙間を発泡止水材１１によって充填し、かつ発泡止水材１１の両側の端部にスポンジ１２を配置し、ケーブル９をダクトスリーブ１０のほぼ中心に位置決め保持する。この発泡止水材１１は水と接触したとき水と反応して発泡し、膨張する発泡材料が好適である。この場合、発泡止水材１１及びスポンジ１２は短冊状のブロックとし、ケーブル９の周りに一周以上巻き付けてダクトスリーブ１０内に挿入する。
【００１９】
管路Ｔ内に既設されているケーブル９の撤去、交換、又はケーブル増設（追い張り）の際に水に接触して膨張してダクトスリーブ１０に強固に粘着している発泡止水材を除去するため、図４の（ｂ）に示すように、先ず、壁面側のスポンジＳを外してから本発明による発泡止水材除去工具としてのガイド本体１を任意の回転角度位置でダクトスリーブ１０に挿入する。ガイド本体１の半径方向突出フランジ１ｂはダクトスリーブ１０の端面に衝合する。次に、拡開手段としての押圧ねじ４をねじ込むことにより、二つ割りハーフ１Ａ相互を互いに押し開き、各二つ割りハーフ１Ａをダクトスリーブ１０の内面に強固に圧着させ、摩擦掛合によりガイド本体１をダクトスリーブ１０に固定する。
【００２０】
この状態で、ドリル装置（図示せず）に装着したドリルロッド６を６個のドリル挿入孔３に順次に挿入し、ドリル挿入孔３の案内に基づいて、ガイド本体の中心軸線Ｍにほぼ平行な６個のドリル孔１３を発泡止水材１１に穿孔する。次に、ガイド本体１のダクトスリーブ１０に対する回転角度位置をずらしてダクトスリーブ１０に固定し、上述と同様の作業を行って、ケーブル９の周りにほぼ均等に分布する多数のドリル孔１３を穿孔する。この後、図４の（ｃ）に示すように、市販されている普通の長手ペンチ１４を近接するドリル孔１３に差し込んで、発泡止水材１１をむしり取り、図４の（ｄ）に示すように、発泡止水材１１に環状の孔を空ける。
【００２１】
最終的に、奥側のスポンジ１２を取り外すことによって、既設ケーブルの撤去、交換作業又はケーブル増設作業を行う。この際、必要に応じて図４の（ｅ）に示すように、ダクトスリーブ１０の内面に残存する発泡止水材１１を適当な工具によってきれいにぬぐい取る。
【００２２】
【発明の効果】
本発明によれば、マンホール又はハンドホールのダクト口にガイド本体を任意の回転角度位置で固定することができ、各回転角度位置でそれぞれガイド本体のドリル挿入孔にドリルロッドを挿入することによって、ドリルロッドをケーブルから離れた位置でドリル本体の中心軸線に平行に案内することによって、ケーブルを傷付けることなく、安全かつ迅速に発泡止水材に多数のドリル孔を穿孔することができる。ドリル孔を多数均等に分布した多数のドリル孔を穿孔した後に長手ペンチを近接するドリル孔に挿入して発泡止水材を簡単にむしり取ることができる。
【００２３】
更に、本発明によるドリルロッドによれば、先端が半球形であるため、ドリルロッドによってケーブルを傷付ける危険性が少ない。
【図面の簡単な説明】
【図１】  本発明による発泡止水材除去工具としてのガイド本体の好適な実施の形態を示し、（ａ）は平面図、（ｂ）は側面図、（ｃ）は底面図、（ｄ）は正面図である。
【図２】  本発明による発泡止水材除去工具としてのドリルロッドの好適な実施の形態を示し、（ａ）は側面図、（ｂ）は端面図、（ｃ）は縦断面図である。
【図３】  マンホールのピット空間側から見たマンホール壁面におけるダクト口の説明図である。
【図４】  本発明による発泡止水材除去工具を使用してダクト口の発泡止水材を除去する作業の各段階を示す説明図である。
【符号の説明】
１  ガイド本体
1a  外周面
1b  フランジ部
1c  押圧ねじ支持フランジ
1A  二つ割りハーフ
1B  ヒンジ部
２  長孔
2a  溝
３  ドリル挿入孔
４  押圧ねじ
4a  ヘッド
4b  押圧作用部
4c  小径シャフト部
５  雌ねじ孔
６  ドリルロッド
７  十字状の溝
８  長手方向溝孔
９  ケーブル
10  ダクトスリーブ
11  発泡止水材
12  スポンジ
13  ドリル孔
14  長手ペンチ
15  止水栓
Ｗ  壁面
WL  壁
Ｔ  管路
Ｓ  土砂層
【図１】
0004334734.tif 000002
【図２】
0004334734.tif 000003
【図３】
0004334734.tif 000004
【図４】
0004334734.tif 000005